(57)【要約】 【課題】  容易に的中勝馬投票券を予想することができ、かつ高い的中率を実現することができるほか、各出走馬の特性を十分に反映した、客観的な評価が可能な的中勝馬投票券予想用装置を提供する。【解決手段】  競馬における的中勝馬投票券を予想するための的中勝馬投票券予想用装置１に関し、予想するレースに出走する各出走馬に関するデータに基づいて、所定の演算式を用いてポイント値を算出し、最も高いポイント値が算出された出走馬を軸馬として抽出する軸馬選定法を表示する軸馬選定法表示部４ａ，４ｂと、軸馬選定法によって抽出された軸馬に対応する番号を軸番号とした場合に出現する確率が高い連勝番号を表示する予想連勝番号表示部５とを含む。これによって、出走馬の特性を反映した、より客観的な軸馬を選定することができ、選定された軸馬に対応する、出現率の高い連勝番号を特定することができる。【選択図】      図１
0003109632.tif 000002
【実用新案登録請求の範囲】
【請求項１】
競馬における的中勝馬投票券を予想するための的中勝馬投票券予想用装置であって、
予想するレースに出走する各出走馬に関するデータに基づいて、所定の演算式を用いてポイント値を算出し、最も高い前記ポイント値が算出された出走馬を軸馬として抽出する軸馬選定法を表示する軸馬選定法表示部と、
前記軸馬選定法によって抽出された軸馬に対応する番号を軸番号とした場合に出現する確率が高い連勝番号である予想連勝番号を表示する予想連勝番号表示部とを含むことを特徴とする的中勝馬投票券予想用装置。
【請求項２】
前記軸馬選定法表示部は、
前走の負担重量と前走の着順との差をポイント値に反映させることを表示する第１解説領域と、
前走と今走との間の負担重量の差をポイント値に反映させることを表示する第２解説領域と、
前走と今走との間で馬場の種類が異なる場合にポイント値を加減することを表示する第３解説領域と、
今走が休み明けである場合にポイント値を加減することを表示する第４解説領域と、
前走が障害競走である場合に２走前または３走前の競走データをポイント値に反映させることを表示する第５解説領域と、
今走の騎手の特性に応じてポイント値を加減することを表示する第６解説領域と、
前走と今走との間のレース格の差をポイント値に反映させることを表示する第７解説領域と、
最も高いポイント値を有する出走馬が複数存在する場合の軸馬選定法を表示する第８解説領域とを含むことを特徴とする請求項１記載の的中勝馬投票券予想用装置。
【請求項３】
前記第７解説領域は、
レース格の可能性のある差毎に、加減するポイント値を表示するレース格差別加減ポイント値テーブルを有することを特徴とする請求項２記載の的中勝馬投票券予想用装置。
【請求項４】
前記予想連勝番号表示部は、
レースの出走頭数別に設けられ、出走頭数に対応する数の軸番号と、各軸番号に対応する前記予想連勝番号とを表示する予想連勝番号テーブルを有することを特徴とする請求項１〜３のいずれか１項に記載の的中勝馬投票券予想用装置。
【請求項５】
前記予想連勝番号テーブルは、レース結果の波乱度に応じて分類される波乱度区分毎に、前記予想連勝番号を表示することを特徴とする請求項４記載の的中勝馬投票券予想用装置。
【請求項６】
競馬における的中勝馬投票券を予想するための的中勝馬投票券予想用装置であって、
的中勝馬投票券予想用装置本体と、前記的中勝馬投票券予想用装置本体に装着するカバー体とを含み、
前記的中勝馬投票券予想用装置本体は、
書籍状に互いに結合される複数のシート状の表示体の集合であり、
予想するレースに出走する各出走馬に関するデータに基づいて、所定の演算式を用いてポイント値を算出し、最も高い前記ポイント値が算出された出走馬を軸馬として抽出する軸馬選定法を表示する軸馬選定法表示部と、
前記軸馬選定法によって抽出された軸馬に対応する番号を軸番号とした場合に出現する確率が高い連勝番号である予想連勝番号を表示する予想連勝番号表示部とを含み、
前記軸馬選定法表示部は、
前走の負担重量と前走の着順との差をポイント値に反映させることを表示する第１解説領域と、
前走と今走との間の負担重量の差をポイント値に反映させることを表示する第２解説領域と、
前走と今走との間で馬場の種類が異なる場合にポイント値を加減することを表示する第３解説領域と、
今走が休み明けである場合にポイント値を加減することを表示する第４解説領域と、
前走が障害競走である場合に２走前または３走前の競走データをポイント値に反映させることを表示する第５解説領域と、
今走の騎手の特性に応じてポイント値を加減することを表示する第６解説領域と、
前走と今走との間のレース格の差をポイント値に反映させることを表示する第７解説領域と、
最も高いポイント値を有する出走馬が複数存在する場合の軸馬選定法を表示する第８解説領域とを含み、
前記第７解説領域は、レース格の可能性のある差毎に、加減するポイント値を表示するレース格差別加減ポイント値テーブルを有し、
前記レース格差別加減ポイント値テーブルは、
複数の行および複数の列が交差して形成される多数のセルからなる表であって、第１行第２列以降の各セルには、今走のレース格を、レース格の高い方から順に表示し、第１列第２行の各セルには、前走のレース格を、レース格の高い方から順に表示し、第２行以降の行と第２列以降の列とが交差する各セルには、対応する列の今走のレース格と対応する行の前走のレース格とに対応する加減すべきポイント値を表示し、
前記予想連勝番号表示部は、
レースの出走頭数別に設けられ、出走頭数に対応する数ｎの軸番号と、各軸番号に対応する前記予想連勝番号とを表示する予想連勝番号テーブルを有し、
前記予想連勝番号テーブルは、
軸番号の数ｎに１を加えた数の行と複数の列とが交差して形成された多数のセルから構成される表であって、第１列第２行〜第ｎ＋１行の各セルには、１〜ｎ番の軸番号が表示され、軸番号が表示されるセルの背景色は、各軸番号に対応する枠番号毎に、色分けされ、第１行第２列以降の各セルには、レース結果の波乱度に応じて分類される波乱度区分が波乱度の小さい方から順に表示され、第２行以降の行と第２列以降の列とが交差するセルには、対応する行の軸番号と対応する列の波乱度区分とに対応する前記予想連勝番号が表示され、
前記カバー体は、
合成樹脂製の外表紙と、
前記外表紙の裏側に設けられ、前記的中勝馬投票券予想用装置本体における最も外側に位置する表示体をそれぞれ収納するための第１収納部および第２収納部とを有し、
前記第１収納部は、ポケット部を有することを特徴とする的中勝馬投票券予想用装置。
【考案の詳細な説明】
【技術分野】
【０００１】
本考案は、競馬における的中勝馬投票券、特に連勝単式または連勝複式勝馬投票法における的中勝馬投票券を予想するための的中勝馬投票券予想用装置に関する。
【背景技術】
【０００２】
いわゆる中央競馬または地方競馬においては、昭和２３年制定の競馬法に従って、勝馬投票券を購入することができ、勝馬投票券が的中した場合は、的中した勝馬投票券の配当率に従って払戻金が交付される。
【０００３】
競馬における的中勝馬投票券の予想は、血統、過去の競走成績、騎手および負担重量など、競走結果に影響し得るデータを考慮してなされることが多い。しかし、膨大な量のデータを考慮して的中勝馬投票券を予想することは、多くの時間と労力とを要する。また、高い的中率を維持するためには、緻密なデータ分析、ならびに相当の経験および訓練を要する。したがって、簡便かつ迅速に勝馬投票券を予想することができ、かつ的中率の高い勝馬投票券予想装置が求められる。
【０００４】
勝馬投票法には、「単勝式」、「複勝式」、「連勝単式」および「連勝複式」が存在する。「単勝式」とは、出走馬のうちの１頭を選択し、１つのレースの１着となる馬を予想するものである。「複勝式」とは、出走馬のうちの１頭を選択し、１つのレースの１〜３着となる馬を予想するものである。「連勝単式」とは、出走馬のうちの２頭または３頭を選択するもので、１つのレースの１着および２着、または１〜３着を、着順どおりに予想するものである。「連勝単式」には、馬番号連勝単式および馬番号三連勝単式が存在する。連勝複式とは、出走馬のうちの２頭または３頭を選択するもので、１つのレースの１着および２着、１着および３着、２着および３着、または１〜３着を、着順に関係なく予想するものである。「連勝複式」には、枠番号連勝複式、馬番号連勝複式、拡大馬番号連勝複式および馬番号三連勝複式が存在する。
【０００５】
特に、連勝単式および連勝複式勝馬投票法は、連勝番号の可能性のある組合せが多数存在するので、無駄な出費を防ぐために、適度な数にまで予想を絞り込む必要がある。連勝番号の組合せを絞り込む方法としては、出走馬の中から１頭の馬を軸馬として選定し、その軸馬に対応する番号を含む連勝番号の組合せのみを複数選択する方法が存在する。
【０００６】
従来の技術として、連勝番号の決定の判断の基礎となる軸馬を決定するために用いる第１のシートと、その軸馬に対応する軸番号と出現率に対応して分類された等級との組合せに対応する連勝番号が表示される連勝番号表示欄を有する第２のシートとを備える競馬競走の連勝番号的中装置が開示されている（たとえば、特許文献１。）。この従来の技術における第１のシートには、今走のレースの種類に応じて異なる軸馬選定法が記載されており、この軸馬選定法は、所定の条件を満たす出走馬のうち、単勝式勝馬投票法における配当が最も少ない馬、すなわち単勝式勝馬投票法における投票支持率が最も高い馬を軸馬とするものである。
【０００７】
【特許文献１】登録実用新案第３０３４１２４号公報
【考案の開示】
【考案が解決しようとする課題】
【０００８】
しかしながら、前述の従来の技術では、軸馬を選定するに当たって、出走馬のうち所定の条件を満たす馬が多数存在する場合が多く、結局、単勝式勝馬投票法における投票支持率の高低が最も重要な要素となる。これでは、各出走馬の特性が十分に反映されず、客観的な評価ができないという問題がある。
【０００９】
本考案の目的は、容易に的中勝馬投票券を予想することができ、かつ高い的中率を実現することができるほか、各出走馬の特性を十分に反映した、客観的な評価が可能な的中勝馬投票券予想用装置を提供することである。
【課題を解決するための手段】
【００１０】
本考案は、競馬における的中勝馬投票券を予想するための的中勝馬投票券予想用装置であって、
予想するレースに出走する各出走馬に関するデータに基づいて、所定の演算式を用いてポイント値を算出し、最も高い前記ポイント値が算出された出走馬を軸馬として抽出する軸馬選定法を表示する軸馬選定法表示部と、
前記軸馬選定法によって抽出された軸馬に対応する番号を軸番号とした場合に出現する確率が高い連勝番号である予想連勝番号を表示する予想連勝番号表示部とを含むことを特徴とする的中勝馬投票券予想用装置である。
【００１１】
本考案に従えば、予想するレースに出走する各出走馬に関するデータに基づいて、所定の演算式を用いてポイント値を算出し、最も高いポイント値が算出された出走馬を軸馬として抽出する軸馬選定法を表示する軸馬選定法表示部と、軸馬選定法によって抽出された軸馬に対応する番号を軸番号とした場合に出現する確率、すなわち出現率の高い連勝番号である予想連勝番号を表示する予想連勝番号表示部を備える。軸馬選定法表示部を参照することによって、出走馬の特性を反映した、より客観的な軸馬の選定が可能となる。また、予想連勝番号表示部を参照することにより、選定された軸馬に対応する、出現率の高い連勝番号を特定することができる。これによって、的中率の高い連勝単式または連勝複式勝馬投票券を容易に予想することができる。
【００１２】
ここで、「軸馬」とは、連勝単式または連勝複式勝馬投票法において、予想する連勝番号の中心となる馬をいう。また、ここで、「連勝番号」とは、連勝単式または連勝複式勝馬投票法における馬番号または枠番号の組合せをいう。「馬番号」とは、１つのレースにおける出走馬にそれぞれ与えられる異なる番号である。「枠番号」とは、１つのレースにおける出走馬を１〜８の枠に区分し、各枠に与えられる異なる番号である。
【００１３】
また本考案は、前記軸馬選定法表示部は、
前走の負担重量と前走の着順との差をポイント値に反映させることを表示する第１解説領域と、
前走と今走との間の負担重量の差をポイント値に反映させることを表示する第２解説領域と、
前走と今走との間で馬場の種類が異なる場合にポイント値を加減することを表示する第３解説領域と、
今走が休み明けである場合にポイント値を加減することを表示する第４解説領域と、
前走が障害競走である場合に２走前または３走前の競走データをポイント値に反映させることを表示する第５解説領域と、
今走の騎手の特性に応じてポイント値を加減することを表示する第６解説領域と、
前走と今走との間のレース格の差をポイント値に反映させることを表示する第７解説領域と、
最も高いポイント値を有する出走馬が複数存在する場合の軸馬選定法を表示する第８解説領域とを含むことを特徴とする。
【００１４】
本考案に従えば、各出走馬に関するデータを、所定の演算式を用いてポイント値に反映させるための項目が表示される解説領域が設けられるので、各解説領域を参照してポイント値の算出を行うことによって、出走馬の特性を反映した、より客観的な軸馬の選定が可能となる。
【００１５】
ここで、「前走」とは、直近に出走したレースのことであり、前走よりもさらに前のレースを、「２走前」、「３走前」という。また、「今走」とは、予想する今回のレースのことをいう。「負担重量」とは、出走馬が背負う重量であって、ｋｇで表示される。「着順」とは、レースにおいて入着した順位をいう。「馬場」とは、レースを行う場所をいい、構造または材料別に、芝およびダートに分類され、状態別に、良、稍重、重および不良に分類される。「休み明け」とは、前走から長期間間隔をあけて出走することをいう。「障害競走」とは、コース中に柵、生垣などの障害が存在するレースをいう。「レース格」とは、各レースについて予め定められる等級であって、等級の高い順に、ＧＩ、ＧＩＩ、ＧＩＩＩ、オープン、１６００万下、１０００万下、５００万下、未勝利、および新馬とそれぞれ称される。
【００１６】
また本考案は、前記第７解説領域は、
レース格の可能性のある差毎に、加減するポイント値を表示するレース格差別加減ポイント値テーブルを有することを特徴とする。
【００１７】
本考案に従えば、第７解説領域は、レース格の可能性のある差毎に、加減するポイント値を表示するレース格差別加減ポイント値テーブルを備えるので、利用者は、レース格の差に対応する加減すべきポイント値を容易に確認することができる。
【００１８】
また本考案は、前記予想連勝番号表示部は、
レースの出走頭数別に設けられ、出走頭数に対応する数の軸番号と、各軸番号に対応する前記予想連勝番号とを表示する予想連勝番号テーブルを有することを特徴とする。
【００１９】
本考案に従えば、予想連勝番号表示部は、レースの出走頭数別に設けられ、出走頭数に対応する数の軸番号と、各軸番号に対応する予想連勝番号とを表示する予想連勝番号テーブルを有する。たとえば、出走頭数が１１頭の場合の予想連勝番号テーブルには、１〜１１番または１〜８枠までの軸番号が表示されるとともに、各軸番号に対応する予想連勝番号が表示される。これによって、予想するレースの出走頭数に対応する予想連勝番号テーブルを参照して、所望の軸番号に対応する、出現率の高い連勝番号を容易に特定することができる。
【００２０】
また本考案は、前記予想連勝番号テーブルは、レース結果の波乱度に応じて分類される波乱度区分毎に、前記予想連勝番号を表示することを特徴とする。
【００２１】
本考案に従えば、予想連勝番号テーブルは、レース結果の波乱度に応じて分類される波乱度区分毎に、予想連勝番号を表示する。これによって、利用者は、予想するレースのレース結果の波乱度を予想した上で、その波乱度に対応する出現率の高い連勝番号を参照することができる。ここで、「波乱度」とは、的中勝馬投票券の配当率の程度をいい、配当率が高いほど、波乱度も高くなる。
【００２２】
また本考案は、競馬における的中勝馬投票券を予想するための的中勝馬投票券予想用装置であって、
的中勝馬投票券予想用装置本体と、前記的中勝馬投票券予想用装置本体に装着するカバー体とを含み、
前記的中勝馬投票券予想用装置本体は、
書籍状に互いに結合される複数のシート状の表示体の集合であり、
予想するレースに出走する各出走馬に関するデータに基づいて、所定の演算式を用いてポイント値を算出し、最も高い前記ポイント値が算出された出走馬を軸馬として抽出する軸馬選定法を表示する軸馬選定法表示部と、
前記軸馬選定法によって抽出された軸馬に対応する番号を軸番号とした場合に出現する確率が高い連勝番号である予想連勝番号を表示する予想連勝番号表示部とを含み、
前記軸馬選定法表示部は、
前走の負担重量と前走の着順との差をポイント値に反映させることを表示する第１解説領域と、
前走と今走との間の負担重量の差をポイント値に反映させることを表示する第２解説領域と、
前走と今走との間で馬場の種類が異なる場合にポイント値を加減することを表示する第３解説領域と、
今走が休み明けである場合にポイント値を加減することを表示する第４解説領域と、
前走が障害競走である場合に２走前または３走前の競走データをポイント値に反映させることを表示する第５解説領域と、
今走の騎手の特性に応じてポイント値を加減することを表示する第６解説領域と、
前走と今走との間のレース格の差をポイント値に反映させることを表示する第７解説領域と、
最も高いポイント値を有する出走馬が複数存在する場合の軸馬選定法を表示する第８解説領域とを含み、
前記第７解説領域は、レース格の可能性のある差毎に、加減するポイント値を表示するレース格差別加減ポイント値テーブルを有し、
前記レース格差別加減ポイント値テーブルは、
複数の行および複数の列が交差して形成される多数のセルからなる表であって、第１行第２列以降の各セルには、今走のレース格を、レース格の高い方から順に表示し、第１列第２行の各セルには、前走のレース格を、レース格の高い方から順に表示し、第２行以降の行と第２列以降の列とが交差する各セルには、対応する列の今走のレース格と対応する行の前走のレース格とに対応する加減すべきポイント値を表示し、
前記予想連勝番号表示部は、
レースの出走頭数別に設けられ、出走頭数に対応する数ｎの軸番号と、各軸番号に対応する前記予想連勝番号とを表示する予想連勝番号テーブルを有し、
前記予想連勝番号テーブルは、
軸番号の数ｎに１を加えた数の行と複数の列とが交差して形成された多数のセルから構成される表であって、第１列第２行〜第ｎ＋１行の各セルには、１〜ｎ番の軸番号が表示され、軸番号が表示されるセルの背景色は、各軸番号に対応する枠番号毎に、色分けされ、第１行第２列以降の各セルには、レース結果の波乱度に応じて分類される波乱度区分が波乱度の小さい方から順に表示され、第２行以降の行と第２列以降の列とが交差するセルには、対応する行の軸番号と対応する列の波乱度区分とに対応する前記予想連勝番号が表示され、
前記カバー体は、
合成樹脂製の外表紙と、
前記外表紙の裏側に設けられ、前記的中勝馬投票券予想用装置本体における最も外側に位置する表示体をそれぞれ収納するための第１収納部および第２収納部とを有し、
前記第１収納部は、ポケット部を有することを特徴とする的中勝馬投票券予想用装置である。
【００２３】
本考案に従えば、カバー体を有するので、的中勝馬投票券予想用装置本体に装着することによって、的中勝馬投票券予想用装置本体を汚損から保護することができる。また、レース格差別加減ポイント値テーブルが、複数の行および複数の列が交差して形成される多数のセルからなる表であって、第２行以降の行と第２列以降の列とが交差する各セルには、対応する列の今走のレース格と対応する行の前走のレース格とに対応する加減すべきポイント値が表示されるので、利用者は、加減すべきポイント値を一見して認識することができる。さらに、軸番号の数ｎに１を加えた数の行と複数の列とが交差して形成された多数のセルから構成される表であって、第２行以降の行と第２列以降の列とが交差するセルには、対応する行の軸番号と対応する列の波乱度区分とに対応する予想連勝番号が表示されるので、利用者は、所望の軸番号と、予想数する波乱度に応じた予想連勝番号を、一見して認識することができる。また、軸番号が表示されるセルの背景色は、各軸番号に対応する枠番号毎に、色分けされるので、各軸番号に対応する枠番号を一見して認識することができる。
【００２４】
さらにまた、カバー体は、的中勝馬投票券予想用装置本体における最も外側に位置する表示体をそれぞれ収納するための第１収納部および第２収納部とを有し、前記第１収納部は、ポケット部を有するので、的中勝馬投票券予想用装置本体に対する装着を確実にすることができ、また、勝馬投票券またはマークシートをポケット部に収納することができる。
【考案の効果】
【００２５】
本考案によれば、軸馬選定法表示部を参照することにより、出走馬の特性を反映した、より客観的な軸馬の選定が可能となる。また、予想連勝番号表示部を参照することにより、選定された軸馬に対応する、出現率の高い連勝番号を特定することができる。これによって、的中率の高い連勝単式または連勝複式勝馬投票券を簡便に予想することができる。
【００２６】
また本考案によれば、各出走馬に関するデータを、所定の演算式を用いてポイント値に反映させるための項目が表示される各解説領域を参照してポイント値の算出を行うことによって、出走馬の特性を反映した、より客観的な軸馬の選定が可能となる
また本考案によれば、レース格差別加減ポイント値テーブルを参照することによって、利用者は、レース格の差に対応する加減すべきポイント値を容易に確認することができる。
【００２７】
また本考案によれば、予想するレースの出走頭数に対応する予想連勝番号テーブルを参照することによって、所望の軸番号に対応する、出現率の高い連勝番号を容易に特定することができる。
【００２８】
また本考案によれば、利用者は、予想するレースのレース結果の波乱度を予想した上で、その波乱度に応じた出現率の高い連勝番号を参照することができる。
【００２９】
また本考案によれば、カバー体を的中勝馬投票券予想用装置本体に装着することによって、的中勝馬投票券予想用装置本体を汚損から保護することができる。さらに、レース格差別加減ポイント値テーブルの各セルを参照して、利用者は、加減すべきポイント値を一見して認識することができる。さらに、予想連勝番号テーブルの各セルを参照して、利用者は、所望の軸番号と、予想数する波乱度に応じた予想連勝番号を、一見して認識することができる。また、軸番号が表示されるセルの背景色によって、各軸番号に対応する枠番号を一見して認識することができる。さらにまた、カバー体は、的中勝馬投票券予想用装置に対して確実に装着することができ、カバー体のポケット部には、勝馬投票券またはマークシートを収納することができる。
【考案を実施するための最良の形態】
【００３０】
図１は、本考案の実施の一形態である的中勝馬投票券予想用装置１の斜視図である。本実施の形態における的中勝馬投票券予想用装置１は、中央競馬の平地競走における的中勝馬投票券の予想に適用される。「中央競馬」とは、日本中央競馬会が行う競馬をいう。「平地競走」とは、コース中に障害物のない通常の競走形態をいう。
【００３１】
本実施の形態における的中勝馬投票券予想用装置１は、的中勝馬投票券予想用装置本体２と、これに装着するカバー体３とから構成される。的中勝馬投票券予想用装置本体２は、書籍状に互いに結合される複数のシート状の表示体の集合であり、予想するレースにおける出走馬のうち１頭を軸馬として抽出する軸馬選定法を表示する軸馬選定法表示部４ａ，４ｂと、軸馬選定法によって抽出された軸馬に対応する番号を軸番号とした場合に出現する確率が高い連勝番号である予想連勝番号を表示する予想連勝番号表示部５とを備える。
【００３２】
図２および図３は、図１に示す的中勝馬投票券予想用装置１における軸馬選定法表示部４ａ，４ｂを示す図である。本実施の形態における軸馬選定法は、予想するレースに出走する各出走馬に関するデータに基づいて、所定の演算式を用いてポイント値を算出し、最も高いポイント値が算出された出走馬を軸馬として抽出するものである。
【００３３】
図２および図３に示すように、軸馬選定法表示部４ａ，４ｂは、軸馬選定法における所定の演算式を、項目毎に分割して解説する複数の解説領域１０〜１７を有し、これらの解説領域１０〜１７は、複数の表示体に亘って設けられる。
【００３４】
第１解説領域１０は、前走の負担重量と前走の着順との差をポイント値に反映させることを表示する。具体的には、前走の負担重量から前走の着順を減算した数値をＳとするという項目を表示する。
【００３５】
第２解説領域１１は、前走と今走との間の負担重量の差をポイント値に反映させることを表示する。今走において、前走よりも重い負担重量の場合は、その重量差をＳから減算し、今走において、前走よりも軽い負担重量の場合は、その重量差をＳに加算し、これによって得た数値を基準ポイントとするという項目を表示する。
【００３６】
第３解説領域１２は、前走と今走との間で馬場の種類が異なる場合にポイント値を加減することを表示する。具体的には、今走が芝で、前走がダートの場合、またはその逆の場合は、基準ポイントから１ポイントを減算し、この場合において、馬場状態が「重」の場合は、さらに１ポイントを加算し、前走が距離１７００ｍ以上のダート競走であって、今走が距離２０００ｍ以上の芝競走である場合は、さらに１ポイントを加算するという項目を表示する。
【００３７】
第４解説領域１３は、今走が休み明けである場合にポイント値を加減することを表示する。具体的には、今走が休み明けである場合は、基準ポイントから１ポイントを減算するという項目を表示する。
【００３８】
第５解説領域１４は、前走が障害競走である場合に２走前または３走前の競走データをポイント値に反映させることを表示する。
【００３９】
第６解説領域１５は、今走の騎手の特性に応じてポイント値を加減することを表示する。具体的には、今走が最終レースであって、騎手が乗り変わりで、かつ減量騎手の場合は、基準ポイントに１ポイントを加算するという項目を表示する。ここで、「最終レース」とは、１日に行われる最終のレースをいい、１日に１２のレースが存在する場合、第１２レースが最終レースとなる。「乗り変わり」とは、今走の騎手が前走の騎手と異なる場合をいう。「減量騎手」とは、免許取得から所定期間経過しておらず、かつ通算勝利数が所定の数に満たない騎手をいい、この減量騎手が騎乗する出走馬は、負担重量が通常の条件よりも軽く設定される。
【００４０】
第７解説領域１６は、前走と今走との間のレース格の差をポイント値に反映させることを表示する。具体的には、今走のレース格が前走よりも上位の場合は、その差に応じて基準ポイントから減算し、今走のレース格が前走よりも下位の場合は、その差に応じて基準ポイントに加算するという項目を表示する。
【００４１】
また、第７解説領域１６は、レース格の可能性のある差毎に、加減するポイント値を表示するレース格差別加減ポイント値テーブル１８を有する。このレース格差別加減ポイント値テーブル１８を参照することによって、利用者は、レース格の差に対応する加減すべきポイント値を容易に確認することができる。このレース格差別加減ポイント値テーブル１８は、１０の行および１０の列が交差して形成される多数のセルからなる表である。第１行第２列〜第９列の各セルには、今回レース条件と称する今走のレース格を、レース格の高い方から順に表示する。具体的には、第１行第２列のセルから順に、「ＧＩレース」、「ＧＩＩレース」、「ＧＩＩＩレース」、「オープン」、「１６００万下」、「１０００万下」、「５００万下」、「未勝利」と表示される。第１列第２行〜第１０行の各セルには、前回レース条件と称する前走のレース格を、レース格の高い方から順に表示する。具体的には、第１列第２行のセルから順に、「ＧＩレース」、「ＧＩＩレース」、「ＧＩＩＩレース」、「オープン」、「１６００万下」、「１０００万下」、「５００万下」、「未勝利」、「新馬」と表示される。第２行以降の行と第２列以降の列とが交差する各セルには、対応する列の今走のレース格と対応する行の前走のレース格とに対応する加減すべきポイント値を表示する。たとえば、第３行第２列のセルには、前走がＧＩＩＩレースであり、今走がＧＩレースである場合の加減ポイント値が表示される。
【００４２】
第８解説領域１７は、最も高いポイント値を有する出走馬が複数存在する場合の軸馬選定法を表示する。具体的には、Ａ）同条件の馬と昇級の馬の場合は、同条件の馬を選択し、Ｂ）同条件の馬と降級の馬の場合は、降級の馬を選択し、Ｃ）降級の馬同士の場合は、前走のレース格が上位の馬を選択し、Ｄ）同条件の馬同士の場合は、前走が特別戦の馬を選択し、Ｅ）全ての条件が同じ場合は、前走の着順が上位の馬を選択し、前走の着順が同じ場合は、前走の単勝式勝馬投票法における支持率の順位が高い馬を選択し、前走の支持率の順位が同じ場合は、今走の支持率の順位の高い馬を選択するという項目を表示する。このように、今走の支持率の高低が軸馬の選定にできるだけ影響しないように考慮されているので、より客観的な軸馬の選定が可能となる。なお、ここで「同条件」とは、前走のレース格と今走のレース格とが同じ場合をいう。「昇級」とは、前走と比べて上位のレース格のレースに出走することをいう。「降級」とは、前走と比べて下位のレース格のレースに出走することをいう。
【００４３】
図４は、図１の的中勝馬投票券予想用装置１における予想連勝番号表示部５の一部を示す図である。予想連勝番号表示部５は、レースの出走頭数別に設けられ、出走頭数に対応する数の軸番号と、各軸番号に対応する前記予想連勝番号とを表示する予想連勝番号テーブル２０を含む。予想するレースの出走頭数に対応する予想連勝番号テーブル２０を参照することによって、所望の軸番号に対応する、出現率の高い連勝番号を容易に特定することができる。
【００４４】
本実施の形態においては、８頭〜１８頭の出走頭数にそれぞれ対応する予想連勝番号テーブル２０が設けられる。図４に示す予想連勝番号テーブル２０は、１１頭の出走頭数に対応するものである。また、予想連勝番号テーブル２０は、馬番号を軸番号または連勝番号とする第１予想連勝番号テーブル２１と、枠番号を軸番号または連勝番号とする第２予想連勝番号テーブル２２とに分類される。第１予想連勝番号テーブル２１は、馬番号を連勝番号とする勝馬投票法、すなわち、馬番号連勝複式、馬番号連勝単式、拡大馬番号連勝複式、馬番号三連勝複式、および馬番号三連勝単式勝馬投票法における連勝番号の予想のために用いることができる。第２予想連勝番号テーブル２２は、枠番号を連勝番号とする勝馬投票法、すなわち枠番号連勝複式投票法における連勝番号の予想のために用いることができる。
【００４５】
８頭以下の出走頭数の場合は、出走馬の馬番号と枠番号とが共通するので、８頭以下の出走頭数に対応する予想連勝番号テーブル２０については、いずれか一方の予想連勝番号テーブル２０、たとえば第１予想連勝番号テーブル２１のみが設けられてもよい。
【００４６】
第１および第２予想連勝番号テーブル２１，２２の近傍には、これらに対応する出走頭数を表示する出走頭数表示領域２３ａ，２３ｂが設けられる。これによって、利用者は、参照している予想連勝番号表示テーブル２０に対応する出走頭数を容易に認識することができる。
【００４７】
本実施の形態における予想連勝番号テーブル２０は、軸番号の数ｎ＋１の行と６つの列とが交差して形成された多数のセルから構成される表である。第１列第２行〜第（ｎ＋１）行の各セルには、１〜ｎ番の軸番号が表示される。軸番号が表示されるセルの背景色は、各軸番号に対応する枠番号毎に、８色に色分けされる。すなわち、１枠に対応する軸番号が表示されるセルは、白色地、２枠に対応する軸番号が表示されるセルは、黒色地、３枠に対応する軸番号が表示されるセルは、赤色地、４枠に対応する軸番号が表示されるセルは、青色地、５枠に対応する軸番号が表示されるセルは、黄色地、６枠に対応する軸番号が表示されるセルは、緑色地、７枠に対応する軸番号が表示されるセルは、橙色地、８枠に対応する軸番号が表示されるセルは、桃色地で色分けされる。図３に示す１１頭の出走頭数の第１予想連勝番号テーブル２１の場合、１番は白色地、２番は黒色地、３番は赤色地、４番は青色地、５番は黄色地、６番および７番は緑色地、８番および９番は橙色地、１０番および１１番は桃色地となる。この色分けは、枠番号毎に定められている騎手の帽子の色に対応しているので、これによって、軸番号に対応する枠番号を一見して認識することができる。
【００４８】
第１行第２列〜第６列の各セルには、レース結果の波乱度に応じて分類される波乱度区分が表示される。本実施の形態における波乱度区分は、波乱度の低い方から順に、「本戦」、「中穴」、「大穴」、「万馬券」および「超万馬券」と分類される。第２行以降の行と第２列以降の列とが交差するセルには、対応する行の軸番号と、対応する列の波乱度区分とに対応する予想連勝番号が表示される。図４に示す予想連勝番号テーブル２０の場合、第４行第２列のセルには、軸番号が３番であり、かつ波乱度が本戦である場合の予想連勝番号が表示される。
【００４９】
予想連勝番号テーブル２０に表示される予想連勝番号は、１９５４年以後の中央競馬におけるレース結果の統計に基づいて、特定の馬番号または枠番号を軸番号とした場合に出現する確率の高い連勝番号を、波乱度区分毎に導き出したものである。これによって、軸馬選定法によって抽出された軸馬に対応する、統計上的中する可能性の高い連勝番号を、レース結果の波乱度に応じて特定することができる。
【００５０】
図５は、図１に示す的中勝馬投票券予想用装置１のカバー体３を示す図である。カバー体３は、合成樹脂製の外表紙３０と、外表紙３０の裏側に設けられ、的中勝馬投票券予想用装置本体２における最も外側に位置する表示体をそれぞれ収納するための第１収納部３１および第２収納部３２とを備える。第１収納部３１は、勝馬投票券またはマークシート等を収納するためのポケット部３３を備える。カバー体３を的中勝馬投票券予想用装置本体２に装着することによって、的中勝馬投票券予想用装置本体２を汚損から保護することができる。
【００５１】
以下において、本実施の形態における的中勝馬投票券予想用装置１の使用方法を説明する。なお、ここにおいては、本実施の形態における的中勝馬投票券予想用装置１を、表１のレースの予想に適用した場合として説明する。
【００５２】
【表１】
0003109632.tif 000003
【００５３】
まず、図２に示す軸馬選定法表示部４ａを参照して、各出走馬のポイント値を定める。一例として、表１の出走馬Ａのポイント値を次のようにして定める。前走の負担重量５５から、前走の着順５を減算し、Ｓ（＝５０）を得る。次に、前走の負担重量５５から今走の負担重量５３を減算して得られる２をＳに加算する。これによって得た数値である５２ポイントを、基準ポイントとする。前走のレース格がオープンであり、今走のレース格はＧＩＩＩレースであるので、図２に示す第７解説領域１６におけるレース格差別加減ポイント値テーブル１８を参照して、基準ポイントから１ポイント減算する。こうして、出走馬Ａのポイント値は５１ポイントとなる。同様に、図２に示す各解説領域１０〜１７に従って、各出走馬のポイント値を算出する。各出走馬のポイント値は、表１の「ポイント値」の欄に示すとおりとなる。
【００５４】
次に、最も高いポイント値を有する出走馬を定める。表１のレースの場合、最も高いポイント値である５３ポイントを有する出走馬は、ＣとＨである。このように、最も高いポイント値を有する出走馬が複数存在する場合は、図３に示す軸馬選定法表示部４ｂにおける第８解説領域１７に表示される各項目Ａ）〜Ｅ）に従って、軸馬を決定する。出走馬ＣおよびＨを比較すると、Ｃの前走はＧＩＩレースであり、Ｈの前走は１６００万下である。すなわちＨは昇級の馬なので、Ｃが軸馬となる。出走馬Ｃに対応する馬番号３番または枠番号３枠が、軸番号となる。
【００５５】
次に、予想連勝番号表示部５における、図４に示す出走頭数１１頭に対応する予想連勝番号テーブル２０を参照して、軸馬Ｃの軸番号に対応する予想連勝番号を特定する。馬番号連勝単式、馬番号連勝複式、拡大馬番号連勝複式勝馬投票法における勝馬投票券の予想を行う場合は、第１予想連勝番号テーブル２１を参照する。第１予想連勝番号テーブル２１において、軸番号３番に対応する予想連勝番号は、「３−７」、「３−９」、「３−５」、「３−２」、「３−１１」である。さらに、予想するレースの波乱度を予想することによって、波乱度に応じた予想連勝番号を特定することもできる。たとえば、波乱度の低いレースと予想する場合、「本戦」、「中穴」に対応する「３−７」、「３−９」のみに予想を絞り込むことができる。また、第１予想連勝番号テーブル２１を利用して、馬番号三連勝単式または馬番号三連勝複式勝馬投票法における勝馬投票券を予想することもできる。たとえば、馬番号三連勝複式の場合、「３−７−９」、「３−５−７」、および「３−５−９」などと予想することができる。
【００５６】
枠番号連勝複式勝馬投票法における勝馬投票券の予想を行う場合は、第２予想連勝番号テーブル２２を参照する。第２予想連勝番号テーブル２２において、軸番号３枠に対応する予想連勝番号は、「３−６」、「３−７」、「３−５」、「２−３」、「３−８」である。さらに、予想するレースの波乱度を予想することによって、波乱度に応じて、予想連勝番号を絞り込むこともできる。たとえば、波乱度の高いレースと予想する場合、「万馬券」、「超万馬券」に対応する「２−３」、「３−８」のみに予想を絞り込むことができる。
【００５７】
以上のように、本実施の形態における的中勝馬投票券予想用装置１によれば、軸馬選定法表示部４ａ，４ｂを参照することにより、出走馬の特性を反映した、より客観的な軸馬の選定が可能となる。さらに、予想連勝番号表示部５を参照することにより、選定された軸馬に対応する、出現率の高い連勝番号を特定することができる。これによって、的中率の高い連勝単式または連勝複式勝馬投票券を容易に予想することができる。
【図面の簡単な説明】
【００５８】
【図１】本考案の実施の一形態である的中勝馬投票券予想用装置１の斜視図である。
【図２】図１に示す的中勝馬投票券予想用装置１における軸馬選定法表示部４ａを示す図である。
【図３】図１に示す的中勝馬投票券予想用装置１における軸馬選定法表示部４ｂの一部を示す図である。
【図４】図１の的中勝馬投票券予想用装置１における予想連勝番号表示部５の一部を示す図である。
【図５】図１に示す的中勝馬投票券予想用装置１のカバー体３を示す図である。
【符号の説明】
【００５９】
１  的中勝馬投票券予想用装置
２  的中勝馬投票券予想用装置本体
３  カバー体
４ａ，４ｂ  軸馬選定法表示部
５  予想連勝番号表示部
１０  第１解説領域
１１  第２解説領域
１２  第３解説領域
１３  第４解説領域
１４  第５解説領域
１５  第６解説領域
１６  第７解説領域
１７  第８解説領域
１８  レース格差別加減ポイント値テーブル
２０  予想連勝番号テーブル
３１  第１収納部
３２  第２収納部
３３  ポケット部
【図１】
0003109632.tif 000004
【図２】
0003109632.tif 000005
【図３】
0003109632.tif 000006
【図４】
0003109632.tif 000007
【図５】
0003109632.tif 000008